(57)【要約】【課題】ＣＰＵ、マザーボード、ユニット電源、ハードディスク等を搭載したラックに実装される薄型情報処理装置において、汎用性を持たせ製品のコストダウンを実現すること。【解決手段】ハードディスク・デバイス部、ＦＡＮ部、マザーボード・ユニット電源部の３種類のモジュール構造とし、モデルチェンジの際の設計変更を最小限に抑える。また、ＩＤＥタイプとＳＣＳＩタイプのハードディスク・デバイス部を別のモジュールとしＩＤＥタイプでの部品点数を減らし、構造の簡素化を図る。【選択図】  図１
2004355425.tif 000002
【特許請求の範囲】
【請求項１】
ハードディスク・デバイス部、ＦＡＮ部、マザーボード・ユニット電源部の３種類のモジュールより成ることを特徴とする薄型情報処理装置の構造。
【請求項２】
請求項１の薄型情報処理装置において、
ハードディスク・デバイス部と、マザーボード・ユニット電源部をラック搭載用スライドレールで連結することを特徴とする薄型情報処理装置の構造。
【請求項３】
ハードディスク・デバイス部をモジュール化することでＩＤＥタイプとＳＣＳＩタイプなどの組合せを可能とする特徴をもった薄型情報処理装置の構造。
【発明の詳細な説明】
【０００１】
【発明の属する技術分野】
本発明は、ＣＰＵ、マザーボード、ユニット電源、ハードディスク、ファンを搭載したラックマウントに実装される１Ｕ  ＰＣサーバ等の薄型情報処理装置に関り、特にこれらのデバイスに選択搭載の組み合わせがある場合に、好適な薄型情報処理装置の構造に関する。
【０００２】
【従来の技術】
従来の実施例として、薄型情報処理装置の構造として１ＵタイプのＰＣサーバ装置がある。
【０００３】
１ＵタイプのＰＣサーバ装置は１９インチラックに実装し、その高さは１９インチラックの実装単位である、１Ｕ（４４．４５ｍｍ）に合わせた高さで作られている。この最小単位である１Ｕで作られたものが、１Ｕ  ＰＣサーバである。１Ｕ  ＰＣサーバは、１９インチラックとスライドレールを介して実装固定されている。
【０００４】
この１Ｕ  ＰＣサーバを使って説明すると、ベースシャーシ上にマザーボード、ユニット電源、ファン、ハードディスク、ＣＤ−ＲＯＭ、フロッピー（登録商標）ディスク等のデバイスをネジ等の締結で実装固定し、その上を天板で覆ってシャーシを形作っている。前端部に２〜３台実装するハードディスクには、ＳＣＳＩタイプ、ＩＤＥタイプの２タイプがある。両者を同時に実装する事は無く、各々別筐体として組み立てる。前者のＳＣＳＩタイプはホットスワップと呼ばれ、電源をおとさずに実働のままハードディスクを交換できるような構造をとっている。
【０００５】
ＳＣＳＩタイプの場合は、ハードディスク毎にハードディスクトレイ、フロントカバー、レバーを実装し、ベースシャーシ上にＬＥＤレンズ、ハードディスクレールを置き、ハードディスク背面側で電気的組み合わせを行うハードディスクＳＣＳＩコネクタを実装したバックプレーンボードで実装する。
【０００６】
ＩＤＥタイプの場合は、ＬＥＤレンズ、バックプレーンボード、ハードディスクＳＣＳＩコネクタは不要で、ＩＤＥケーブルとハードディスク電源ケーブルを組み合わせる。しかし、これらハードディスクは振動に弱い為、固定が必要であり固定金具で固定している。
【０００７】
尚、この種の装置として関連するものには、例えば下記の特許文献１を挙げることができる。
【０００８】
【特許文献１】
特開２０００−２５２４８１号公報
【０００９】
【発明が解決しようとする課題】
従来技術においては開発コスト面について配慮の余地があり、ハードディスク、ＣＰＵ、マザーボード、ユニット電源などの部品を変更する毎に筐体全体を新規に開発する必要がある。
【００１０】
ＩＤＥタイプとＳＣＳＩタイプとで同一筐体を使用すると、ＩＤＥタイプでは必要の無いＨＤＤトレイ、ＬＥＤレンズ、固定金具などの部品が発生し、原価が上がり保守性も悪くなるという問題があった。
【００１１】
本発明の目的はモデルチェンジの際の設計変更を最小限に抑え、開発コストを削減することにある。
【００１２】
本発明の他の目的は、ＩＤＥタイプとＳＣＳＩタイプとを別構造とすることで、ＩＤＥタイプでの原価低減と保守性の向上をすることである。
【００１３】
【課題を解決するための手段】
上記目的を達成するために、ハードディスク・デバイス部、ＦＡＮ部、マザーボード・ユニット電源部の３種類のモジュール構造としたものである。
【００１４】
また、ＩＤＥタイプでの原価低減と保守性の向上を達成するために、ＩＤＥタイプとＳＣＳＩタイプとを別のモジュールとしＩＤＥタイプでの部品点数を減らしたものである。
【００１５】
【発明の実施の形態】
本発明の実施例を図１により説明する。
【００１６】
図１は本発明を１Ｕ  ＰＣサーバ（ＳＣＳＩタイプ）に適用した場合の実施例を示したものである。
【００１７】
１Ｕ  ＰＣサーバをハードディスク・デバイス部（１３）、ＦＡＮ部（６）、マザーボード・電源部（４）の３種類で構成している。
【００１８】
ハードディスク・デバイス部（１３）は、ＳＣＳＩタイプとＩＤＥタイプの２種類ある。
【００１９】
フロッピー（登録商標）ディスク（９）、ＣＤ−ＲＯＭ（７）は両タイプとも実装している。
【００２０】
図１に示すＳＣＳＩタイプは、ＳＣＳＩハードディスク（８）毎にハードディスクトレイ、フロントカバー、レバーを実装し、ベースシャーシ上にＬＥＤレンズ、ハードディスクレールを置き、ハードディスク背面側で電気的組み合わせを行うハードディスクＳＣＳＩコネクタを実装したバックプレーンボード（１２）を実装している。
【００２１】
図２に示すＩＤＥタイプは、ＬＥＤレンズ、バックプレーンボード、ハードディスクＳＣＳＩコネクタは不要で、ＩＤＥケーブル（２７）とハードディスク電源ケーブル（２９）を組み合わせる。
【００２２】
ＦＡＮ部（６）はＦＡＮ、ＦＡＮブラケット、ＦＡＮダクト等を実装している。
【００２３】
マザーボード・電源部（３）は、マザーボード（４）、ユニット電源（５）等を実装している。
【００２４】
ハードディスク・デバイス部（１３）とマザーボード・電源部（３）はラック搭載用のスライドレール（１４）、ガイドピン（１０）、（ＳＣＳＩタイプは信号コネクタ（１１）、電源コネクタ（１６））で連結している。
【００２５】
【発明の効果】
本発明によれば、モデルチェンジの際の設計変更を最小限に抑えることができるので、開発コストを削減することが出来る。
【００２６】
本発明によれば、ＩＤＥタイプとＳＣＳＩタイプとを別のモジュールとすることによって、ＩＤＥタイプでの部品点数を減らす事が出来るので、ＩＤＥタイプでの原価低減と保守性の向上をすることが出来る。
【図面の簡単な説明】
【図１】本発明の実施例ＳＣＳＩタイプを示す図。
【図２】本発明の実施例ＩＤＥタイプを示す図。
【符号の説明】
１…天板（前）、２…天板（後）、３…ベースモジュール、４…マザーボード、５…ユニット電源、６…ファン部、７…ＣＤドライブ、８…ＳＣＳＩハードディスク、９…フロッピー（登録商標）ディスク、１０…ガイドピン、１１…信号コネクタ、１２…バックプレートボード、１３…ハードディスク・デバイス部、１４…スライドレール、１５…固定ネジ、１６…電源コネクタ、１９…マザーボード・ユニット電源部、２１…ユニット電源、２３…ＩＤＥハードディスク、２９…電源ケーブル、３４…ＣＰＵ。
【図１】
2004355425.tif 000003
【図２】
2004355425.tif 000004